(57)【要約】ベッドとデスクの組み合わせ家具の改良を開示した：ベッドフレームとデスクトップを壁（または、支持材または家具本体）に固定したエレメントに連結する平行四辺形をベースとするシステムおよび機構。ベッドは、ウォールベッドとして回動し、デスクトップは水平を保って上下する。上に上がった状態で、ベッドが壁に寄りかかり、ベッド本体は隠され、標準高さにおいて、カンチレバーデスクトップがベッドの底部によりかかる。  下に下がった位置では、ベッドが通常の高さで展開し、デスクトップは床面下側に位置する。変換、収納を行う間、デスクトップ上にＰＣモニタ（高さ０．４ｍまで）などのものをおくことができる。  手動動作を容易にするべく、調整可能なスプリングを有する統一メカニズムが開示されている。この設計により、ストローク間に重量移動に必要なバランスのマッチングが得られる。また、モータの配設も可能である。  支持材として作用するカップボード付きの家具としてもよい。
2005522235.tif 000002
【特許請求の範囲】
【請求項１】
ベッドとデスクの組み合わせであって、当該組み合わせの部品をガイドする平行四辺形の原理に基づくリンク機構を使用した組み合わせにおいて、前記ベッドがヘッドボードとフットボードを有するウォールベッドであり、デスクトップは常に水平を保って床まで下がり、当該デスクトップの上にベッドが展開し、前記リンク機構（ベッドとデスクの組み合わせの両側にひとつずつある）が、コネクティングロッドと、一のヒンジ（もしくは回転位置）によって、ウォールベッドの回転位置で整合されており、図１において、前記ヒンジ（または回転位置）８は、ベッドのヘッドボードをデスクトップに固定されているデスクトップヘッドに連結しており、コネクティングロッド９は、家具本体（または壁あるいは支持材）の回転位置１０において、デスクトップに位置１１で連結されて、水平位置を保持しており、コネクティングロッドの中央１０及び１１は、平行四辺形の一の辺を規定し、位置６および位置８で形成されるセグメントが、平行四辺形の（同じ）対向する辺を規定し、この平行四辺形がデスクトップの平行移動を説明するものであることを特徴とするベッドとデスクの組み合わせ。
【請求項２】
請求項１に記載のベッドとデスクの組み合わせにおいて、リンク機構を支持し、カップボードあるいは他の収納庫を上部に具える家具を構成する家具本体を具え、当該本体の中央部及び下側部がデスクトップとベッドを保持しており、デスク位置にある場合に、ベッドが前記本体の背部（あるいは前記家具が背部を有していない場合は壁）に収納されてベッド本体が隠され、カンチレバーを有するデスクトップが、ベッドの底部に寄りかかり、変形時には、ベッドが回転すると共にデスクトップがその水平位置を保持したままで下降し、ベッド位置にあるときには、ベッドの高さが通常であり、デスクトップが、その上におかれたＰＣモニタなどの０．４ｍ程度の高さの物とともに、その下でフロアに隣接して位置しており、当該物は変形中にデスクトップ上に位置していることを特徴とするベッドとデスクの組み合わせ。
【請求項３】
ベッドとデスクトップを所定の収納位置に収納して使用するベッドとデスクの組み合わせにおいて、前記収納位置が、Ａ）ベッドについては壁に寄りかかって、その下側がベッドの高さに隣接する高さにあり、Ｂ）デスクトップについては、展開したベッドの下で、床に隣接した位置にあり、各位置が交代することを特徴とするベッドとデスクトップの組み合わせ。
【請求項４】
請求項１乃至３のいずれかに記載のベッドとデスクトップの組み合わせにおいて、ガイドパスを具えることを特徴とするベッドとデスクトップの組み合わせ。
【請求項５】
請求項１乃至４のいずれかに記載のベッドとデスクトップの組み合わせにおいて、前記カップボードを除いたベッドとデスクトップの組み合わせ。
【請求項６】
請求項１，３、４、５のいずれかに記載のベッドとデスクトップの組み合わせにおいて、前記支持材が壁あるいは、補助構造であることを特徴とするベッドとデスクトップの組み合わせ。
【請求項７】
メカニズムユニットを具えるベッドとデスクトップの組み合わせにおいて、当該ユニットが両部品をガイドするとともに、可動部材を移動させるための適合したバランス力を付与し、このメカニズムが家具に一体化されており、適当な部品サイズによって、全ストロークにおいて、懸垂部品（ベッドおよびデスク）にかかる重力を補償する（可変）力を得、前記ストロークに沿ったいずれの位置においても静動バランスを得、前記家具の直接的なマニュアル変換を容易にし、各メカニズムが各本体側（もしくは他の支持材へ）の内面に固定されており、ベッドとデスクトップをガイドするのに必要な回転エレメント６およびコネクティングロッド９を所有し、各ユニットが、上端が部品１５に保持され（ボックス１６に固定され）、テンションを大きくするべく交換可能なスプリング１４を有する縦型ボックス１６を有し、前記スプリングの下側端が、部材１３によって、位置１０で回転するコネクティングロッド９を位置１２において付勢しており、このコネクティングロッド９がデスクトップを位置１１でガイドすると共に、可動部材をバランスさせることを特徴とするベッドとデスクの組み合わせ。
【請求項８】
請求項１乃至７のいずれかに記載のベッドとデスクの組み合わせにおいて、モータ機能にて前記変形を行うことを特徴とするベッドとデスクの組み合わせ。
【請求項９】
請求項１乃至８のいずれかに記載のベッドとデスクの組み合わせにおいて、デスクトップ上に、ムーブメント、タンスあるいは他の家具に影響しないゾーンを有することを特徴とするベッドとデスクの組み合わせ。
【請求項１０】
請求項１乃至９のいずれかに記載のベッドとデスクの組み合わせにおいて、縦方向に移動し収納する位置において、ベッドの適宜の抑制部分を有することを特徴とするベッドとデスクの組み合わせ。
【請求項１１】
請求項１乃至１０に記載のベッドとデスクの組み合わせにおいて、ベッドセクションを更に回転させるあるいはスライドさせることによって、ベッドサイズを増大させることを特徴とするベッドとデスクの組み合わせ。
【請求項１２】
請求項１乃至１１に記載のベッドとデスクの組み合わせにおいて、ベッドを展開させたときにデスクトップ側にデスクトップの上に残っているものを隠すベッドに適するボードあるいはカーテンを有することを特徴とするベッドとデスクの組み合わせ。
【発明の詳細な説明】
【技術分野】
【０００１】
本発明は、択一的に１以上の機能を果たす単一ユニットの変形可能な家具に関するものである。物をデスク上に残すことができる、ベッドとデスクの組み合わせの改良に適用される。
【背景技術】
【０００２】
発明の背景
ウォールベッド（マーフィベッドとも言い、１９００年に特許されている）は、良く知られた家具であり、部屋のカーテン領域が二重に使用できる。この家具は、重量のバランスを取り、ベッドを収納したり取り出したりする努力を少なくるためのスプリングを含む、非常に単純な構造をもつ。いくつかのバージョンでは、ベッドが縦位置に収納されたときに展開することのできる折り畳み式デスクトップをとりつけられており、ベッドとデスクの組み合わせ家具になっている。このデスクトップは、デスクの上を片づけて収納しなくてはならず、その後にベッドを展開することが可能になる。デスクトップには、通常、ベッドが占める領域の一部が使用されている。
【０００３】
いくつもの特許において、ベッドとデスクを固定位置において組み合わせるようにするか、あるいは、それを収納するためにベッドを折り畳むようにしたものがある。しかしながら、ものを乗せたデスクトップを収納して、同じ領域にベッドを展開できるようにしたものもいくつか見られる。
【０００４】
同様の提案は本発明と以下のように比較される。
１９７８年１月３１日に特許された米国特許第４，０７０，７１５号は、ウォールベッドと、上下するデスクからなるベッドとデスクの組み合わせを提案している。
【０００５】
ここで用いられている構造は複雑であり、鎖、ピニオン、シャフト、ラックを有しており、さらに、（ほぼ必然的に）モータを必要とする。デスクが使用位置から下降するときに、デスクトップが水平に保たれ、ものがその上に残るようにしている。同時に、収納されていたベッドが壁に向かって回転して、通常の水平位置に展開する。このストロークはデスクトップ上に残っているものの高さを低くするのみである。
【０００６】
この家具の主要素である、ベッドとデスクは、使用中に同じフロア領域を交互に占有する。デスクトップとベッドの高さは、通常の使用位置にある。これに比べて、本発明は、２、３組のシンプルな補助パーツを有するのみであり、著しいコストの削減と、簡単な構造を実現する。
【０００７】
要約すると、システムは収納位置が異なり、使用されている機械的手段がことなる。
【０００８】
１９９５年２月９日に付与されたドイツ国特許第ＤＥ４３１８７８５号は、追加の家具本体ユニットを持たないベッドとデスクトップの組み合わせを提案している。ここに記載された構造は、壁に固定された要素にリンクしたベッドとデスクトップをガイドするものである。移動部品の重量と機械的なレバーアクションは床の上を回転する４つのホイールで操作される。
【０００９】
最終的な収納位置において、ベッドは壁に対してフラットに、一方の側を床につけて横たわる。
【００１０】
このメカニズムは、本発明のものより複雑である。この装置は５組の部品（あるいは、標準仕様では６組あるいはそれ以上）を有し、更に、床の上をホイールが回転するために床の品質が適切なものでなくてはならない。床がこの要求される品質を欠く場合は、なんらかの工事がなされるか、追加でレールを敷かなければならない。更に、主連結部はより長く、屈折部において負荷がかかるので、本発明の装置のほうが使用者にとってよりすぐれた剛性、堅固な質感を有する。
【発明の開示】
【発明が解決しようとする課題】
【００１１】
本発明は、２、３組のシンプルな補助パーツを有するのみであり、著しいコストの削減と、簡単な構造を実現する。
【００１２】
要約すると、システムは収納位置が異なり、使用されている機械的手段が異なる。
【発明を実施するための最良の形態】
【００１３】
好適な実施形態の説明
図１、２、３、４、５および６を参照して本発明の実施例を説明する。
本発明の家具は、本体１を具える。本体１の上側部分２はカップボードなどの収納部である。中間部分および下側部分はデスクトップ３とベッドフレーム４をマットレスとベッド本体と共に保持している。デスクトップ位置にあるときは、ベッドは家具の背部に平坦に（あるいは、家具に背部がない場合は壁に）寄りかかっており、ベッド本体は見えない状態にある。デスクトップは片持ちに指示されており、その後部エッジはベッド底部によりかかっている。ベッドにするときには、デスクトップは常に水平を保って下側に案内され、ベッドは符号６の位置で回転して展開する。
【００１４】
この家具は、二つのガイド用対称リンク機構を具えているが、説明を簡単にするために、一のリンク機構のみを引用して説明する。
【００１５】
ベッドとデスクトップは、ヘッドアーム７Ａおよび７Ｂを介して連結されている。コネクティングロッド９は平行であり、連結部６と８によって画定するイマジナリセグメントに対して同じ可動長を有する。このコネクティングロッド９は、符号１０の位置で、本体と連結されており、連結部１１がデスクトップを案内する。
【００１６】
したがって、符号６、８、１０、１１の点で平行四辺形が画成され、従ってデスクトップはそのストロ−クを通じて一定の水平を保つ。
【００１７】
この平行四辺形を、金属で構成して、デスクトップのヘッドを対応する側に固定するようにすることができる。この施工、および他の施工は、同一発明の変形である。
【００１８】
美的理由もしくは実用的な理由により、コネクティングロッド９は、図示されている位置に平行な位置にある他の場所に配置して、常に平行四辺形を形成し、コネクティングロッドに連結する適当なベッドアームとテーブルヘッドを要求するようにしても良い。
【００１９】
ベッドを支持するのに家具本体に代えて壁あるいは補助構造が使用されている場合にも、同様のリンク機構を使用することができる。
【００２０】
バランスシステムを加えて、デスクトップからベッド、あるいは、ベッドからデスクトップへ変更する際の労力を削減するようにしても良い。
【００２１】
力のバランスは、内容物共々にデスクトップとベッドの重量を中立化するものであり、スプリング、ねじれバー、ガススプリング、釣り合いおもり、その他の直接的に作用するもの、あるいはレバーやケーブルなどによるものなど、どのようなものでも良い。本発明のユニットに作用しない限り、さまざまな機械的バランスを使用して変形例とすることができる。
【００２２】
直接マニュアル変換用のバランスは、動作を容易にするために全ストロークを通じて正確なものでなくてはならない。
【００２３】
バランスを調整した後、バラストを加えて重量のある品物がデスクトップあるいはベッドから取り去られた時にバランスを維持できるようにしても良い。
【００２４】
部品の上げ下ろしを容易にするために、電気的あるいは機械的（ハンドル、ペダル、他）にモータリゼーションを行って、バランスを正確に取る必要性を減少させることが可能である。
【００２５】
この場合、バランスの要求はそれほど厳密でなく、バラストの使用は不要である。
【００２６】
ベッドの収納
ベッドは、ベッドを保持するためのストラップや同様のエレメントを必要としない。これは、採用されているベッドの回転制御と、ベッドが縦位置にきた時にベッドの中で一次的にできるマットレスの横方向の適度な圧縮による抑制部分によるものである。
【００２７】
最小面積モデル
変形例では、ベッドの長さより短いデスクトップを使用するようにしている。支持条件が同様であれば、デスクトップは、ベッドが使用していた領域の一部のみを占めることになり、フロア領域がいくらか残ってタンスや棚などの他のエレメントに使用することができる。また、このようなエレメントは、椅子として使用することができ、家具の内側面、あるいは隣接する壁は、シートになる背もたれとして作用する。従って、この配置は補助エレメントを用いることなく快適に作用する。この配置が最良のフロアの使用である。
【００２８】
好ましいバランスシステムの実施例
本発明では、バランス機構が加えられており、これを図７を参照して説明する。機構は、二つの対称ユニット（左右）を含み、各ユニットは各本体側の内面（あるいは他の支持材）に固定されている。説明を簡単にするために、一のユニットのみに符号を付した。ユニットは、ベッドとデスクをガイドするのに必要な回動エレメント６とコネクティングロッド９を具える。各ユニットは、縦型ボックス（あるいはボックス状のもの）１６を具え、このボックス１６は上端が部品１５（ボックス１６に固定されている）に保持されているスプリング１４を含む。このスプリングは、テンションの大きいものに代えてもよい。スプリング１４の下側端部は、部品１３によって、位置１２で（コネクティングロッド９）に対して付勢されている。このコネクティングロッド９は、位置１０を中心に回動する。位置１１でデスクトップをガイドし、上述の可動部品をバランスさせる。
【００２９】
この設計により、適当な大きさの部品によって、全ストロークの間、懸垂部品に重力効果のための好適な動作の実現に寄与する。
【図面の簡単な説明】
【００３０】
【図１】図１は、ベッドを収納し、デスクトップを使用状態にした状態を示す側面図である。
【図２】図２は、ベッドを収納し、デスクトップを使用状態にした状態を示す正面図である。
【図３】図３は、ベッドを展開させ、デスクトップを収納した（下側に位置する）状態を示す側面図である。
【図４】図４は、ベッドを展開させ、デスクトップを収納した（ベッドの下側に位置する）状態を示す正面図である。
【図５】図５は、ベッドを展開させ、デスクトップを収納した（ベッドの下側に位置する）状態を示す斜視図である。
【図６】図６は、ベッドを収納し、デスクトップを使用状態にした状態を示す斜視図である。
【図７】図７は、バランス機構を示す分解図である。
【図１】
2005522235.tif 000003
【図２】
2005522235.tif 000004
【図３】
2005522235.tif 000005
【図４】
2005522235.tif 000006
【図５】
2005522235.tif 000007
【図６】
2005522235.tif 000008
【図７】
2005522235.tif 000009
【国際調査報告】
2005522235.tif 000010
2005522235.tif 000011